(57)【要約】【課題】キャッチの位置調整を簡単かつ微小に行うことができる引戸用ランナー構造を提供すること。【解決手段】  戸枠Ｗに設けられたガイドレール１に沿って走行するガイドローラ２と、  ガイドローラを支持し、戸枠Ｗまたは戸板Ｄの他方の上縁または下縁に接続されるブラケット３に設けられた被係合部４と、  ガイドレール１内に設置され、被係合部４に係合する係合部５を有するキャッチ部材６と、を備え、  キャッチ部材６は、ガイドレール１の長手方向に垂直な方向に貫通する貫通孔６ａを有し、貫通孔６ａに固定ねじ１２を螺合する際に、固定ねじ１２の周面の一部がガイドレール１の一部に接触し、固定ねじ１２を回転させると、固定ねじ１２とガイドレール１との間の摩擦によりキャッチ部材６がガイドレール１に沿って移動し、ガイドレールに位置決め固定される。【選択図】図３
2014125760.tif 000002
【特許請求の範囲】
【請求項１】
戸枠または戸板の一方の上縁または下縁に設けられたガイドレールに沿って走行するガイドローラと、
ガイドローラを支持し、戸枠または戸板の他方の上縁または下縁に接続されるブラケットに設けられた被係合部と、
ガイドレール内に設置され、被係合部に係合する係合部を有するキャッチ部材と、を備え、
キャッチ部材は、ガイドレールの長手方向に垂直な方向に貫通する貫通孔を有し、貫通孔に固定ねじを螺合する際に、固定ねじの周面の一部がガイドレールの一部に接触し、固定ねじを回転させると、固定ねじとガイドレールとの間の摩擦によりキャッチ部材がガイドレールに沿って移動し、ガイドレールに位置決め固定される
ことを特徴とする、引戸用ランナー構造。
【請求項２】
前記固定ねじの周面の一部に接触する前記ガイドレールの一部は、前記ガイドレール内に設けられた第一のリブである、
請求項１に記載の引戸用ランナー構造。
【請求項３】
前記第一のリブに対向する位置において前記固定ねじの周面の一部に接触する第二のリブを有し、前記第二のリブは、前記固定ねじを前記貫通孔に螺合する際に、前記第一のリブよりも後に前記固定ねじに接触する位置に設けられている、
請求項２に記載の引戸用ランナー構造。
【発明の詳細な説明】
【技術分野】
【０００１】
本発明は、戸板を閉戸状態又は開戸状態に保持する引戸用ランナー構造に関する。
【背景技術】
【０００２】
特許文献１に開示された吊戸用キャッチは、戸板の下端部に、下端面より出没自在でかつスプリングで引き上げ方向に付勢されるピボットを備え、戸板の下端面に対応する固定床面に、戸板の移動方向に漸次深くなっている溝を有し溝の最深部に磁石体を備える。
【０００３】
特許文献２に開示された引戸装置は、床面等に配設されたレールの両端部に戸板の開閉限界を規制するストッパが設けられ、壁面等に戸板の上部の前後方向への移動を規制するガイド部材が設けられている。
【先行技術文献】
【特許文献】
【０００４】
【特許文献１】特開平１１−１４１２１５号公報
【特許文献２】特開２００８−０６３７６８号公報
【発明の概要】
【発明が解決しようとする課題】
【０００５】
特許文献１に記載された吊り戸用キャッチによれば、位置調整ができない、という問題がある。
特許文献２に記載された引戸装置によれば、部品点数が多く、複雑で、高コストになっており、位置調整が難しい、という問題がある。
【０００６】
本発明は、上述した点に鑑み案出されたもので、位置調整を簡単かつ微細に行うことができるキャッチを備えた引戸用ランナー構造を提供することを目的としている。
【課題を解決するための手段】
【０００７】
上記目的を達成するために、本発明の引戸用ランナー構造は、戸枠または戸板の一方の上縁または下縁に設けられたガイドレールに沿って走行するガイドローラと、ガイドローラを支持し、戸枠または戸板の他方の上縁または下縁に接続されるブラケットに設けられた被係合部と、ガイドレール内に設置され、被係合部に係合する係合部を有するキャッチ部材と、を備え、キャッチ部材は、ガイドレールの長手方向に垂直な方向に貫通する貫通孔を有し、貫通孔に固定ねじを螺合する際に、固定ねじの周面の一部がガイドレールの一部に接触し、固定ねじを回転させると、固定ねじとガイドレールとの間の摩擦によりキャッチ部材がガイドレールに沿って移動し、ガイドレールに位置決め固定されることを特徴とする。
【０００８】
上記構成によれば、ガイドローラを支持するブラケットに被係合部を設け、被係合部に係合する係合部を有するキャッチ部材を固定ねじでガイドレールに固定する構成であり、キャッチ部材は、貫通孔に固定ねじを螺合しガイドレールに固定する際に、固定ねじを回転させると、固定ねじの周面の一部がガイドレールの一部に接触し摩擦によりガイドレールに沿って移動する構成であるので、部品点数が少なくキャッチの位置調整を簡単かつ微細に行うことができる。
【０００９】
前記固定ねじの周面の一部に接触する前記ガイドレールの一部は、前記ガイドレール内に設けられた第一のリブであることが好ましい。
【００１０】
この構成にすると、固定ねじがガイドレールの内壁に接触する場合よりも他の機構に影響を与えることが少なく設計自由度も増す。また弾性を調整することで、キャッチ部材や固定ねじのばらつきに対応できるし、調整時にかかる力が小さくてすむ。
【００１１】
前記第一のリブに対向する位置において前記固定ねじの周面の一部に接触する第二のリブを有し、前記第二のリブは、前記固定ねじを前記貫通孔に螺合する際に、前記第一のリブよりも後に前記固定ねじに接触する位置に設けられている、
【００１２】
この構成にすると、固定ねじを回転させると、固定ねじが第一のリブに接触しキャッチの位置調整が行われてから、固定ねじが第二のリブにも接触し、固定ねじが第一のリブと第二のリブにねじ込まれキャッチの固定が行われる。
【発明の効果】
【００１３】
本発明によれば、キャッチの位置調整を簡単かつ微小に行うことができる引戸用ランナー構造を提供することができる。
【図面の簡単な説明】
【００１４】
【図１】本発明の実施形態に係り、開戸が完了する直前における引戸用ランナー構造の要部正面図である。
【図２】図１の引戸用ランナー構造について、開戸が完了した状態における要部正面図である。
【図３】引戸用ランナー構造の分解斜視図である。
【図４】キャッチ部材６をガイドレール１に取り付ける作業の最初の状態を示す縦断面図である。
【図５】固定ねじがねじ込まれる回転方向と、キャッチ部材が摩擦力で移動する方向との関係を示す平面図である。
【図６】キャッチ部材をガイドレールに取り付ける作業を完了した状態を示す縦断面図である。
【図７】図６におけるＢ−Ｂ線に沿った水平断面図である。
【図８】キャッチ部材の変形例を示す取付図である。
【図９】キャッチ部材の他の変形例を示す取付図である。
【発明を実施するための形態】
【００１５】
以下、本発明の引戸用ランナー構造に係る実施形態について図面を参照して説明する。
図１は、引戸用ランナー構造について、開戸が完了する直前の要部正面図である。図２は、開戸が完了した状態における要部正面図である。図３は、引戸用ランナー構造の分解斜視図である。
【００１６】
引戸用ランナー構造１００は、戸枠Ｗの上縁に設けられたガイドレール１（図３参照）に沿って走行するガイドローラ２と、ガイドローラ２を支持し、戸板Ｄの上縁に接続されるブラケット３及びこれに設けられた被係合部４と、ガイドレール１内に設置され、被係合部４に係合する係合部５を有するキャッチ部材６と、を備えている。
【００１７】
ガイドレール１は、アルミニウムの押出型材よりなり、上面部１ａと、上面部１ａの両側縁より一体に垂下する一対の側面部１ｂ，１ｃと、一方の側面部１ｂの下端より他方の側面部１ｃの下端に向かって短く延びてから先端にて上方に短く立ち上がる断面Ｌ字型の軌道部１ｄと、上面部１ａ内面より短く垂下する第１のリブ１ｅと他方の側面部１ｃ内面より水平に短く延びる第２のリブ１ｆとで軌道部１ｄと対角位置に形成される小室１ｇと、を有する。第１のリブ１ｅの下端は、第２のリブ１ｆの下面よりも僅かに下位置にある。
【００１８】
ガイドローラ２は、戸板Ｄの上縁の一方の端部と他方の端部のそれぞれに対応する位置に２個備えられる。各端部の２個のガイドローラ２は、ブラケット３に回転可能に支持されガイドレール１の軌道部１ｄに乗って走行する。
【００１９】
戸板Ｄの上端角部に固定されるユニット部材７は、ケース部材８と、ケース部材８に対しガイドレール１に沿った方向に挿し込み係合ロックしかつ外部操作によりロック解除し得る係合ロック部材９と、ビスねじ１１によりケース部材８に固定される支軸ブロック体１０とを備える。
ブラケット３は、支軸ブロック体１０から上方に延びて設けられ、上端においてガイドレール１の長手方向に対して水平に直交する方向に延びた軸を介して２個のガイドローラ２を片持ち式に支持する。
【００２０】
図４は、キャッチ部材６をガイドレール１に取り付ける作業の最初の状態を示す縦断面図である。
図４に示すように、キャッチ部材６は、ガイドレール１の長手方向に垂直な方向（図では上下方向）に貫通する貫通孔６ａを有する。この貫通孔６ａは、上側の略半部が固定ねじ１２がねじ込まれる小径部６ａａ、下側の残り半部が固定ねじ１２の頭部が入り込む大径部６ａｂとされている。
【００２１】
キャッチ部材６は、ガイドレール１内に収容される際、第２のリブ１ｆの下面と一側面１ｃの内面とに当接し、また上面に設けられた凸部６ｂ（図３参照）が第１のリブ１ｅと第２のリブ１ｆとの段差部に係合して、ガイドレール１内を長手方向に移動可能に収容される。
【００２２】
図５は、固定ねじ１２がねじ込まれる回転方向と、固定ねじ１２がねじ込まれるときにキャッチ部材６が摩擦力で移動する方向との関係を示す平面図である。
キャッチ部材６をガイドレール１内に図４に示すように収容した状態において、貫通孔６ａの小径部６ａａに固定ねじ１２をねじ込んでいくと、小径部６ａａを通過した固定ねじ１２の周面の一部がガイドレール１の第１のリブ１ｅに接触し、固定ねじ１２を回転させると、固定ねじ１２と第１のリブ１ｅとの間の摩擦によりキャッチ部材６がガイドレール１に沿って移動する。このようにして、キャッチ部材６の、ガイドレール１内での位置を調整することが可能である。適宜の位置でキャッチ部材６を押さえた状態で、またはキャッチ部材６の進行方向に障害物を設置した状態で固定ねじ１２をねじ込んでいくと、固定ねじ１２と第１のリブ１ｅとの間の摩擦に抗って、キャッチ部材６を移動させずに固定ねじ１２を螺着することが可能である。
【００２３】
キャッチ部材６の進行方向は、固定ねじ１２に対する第１のリブ１ｅ及び第２のリブ１ｆの位置と、固定ねじ１２のねじ方向により決定される。本実施形態においては、図３に示すように、戸枠Ｗ側から見て、第１のリブ１ｅが固定ねじ１２の右側、第２のリブ１ｆが固定ねじ１２の左側に位置し、かつ固定ねじ１２が順ねじであるため、キャッチ部材６を戸枠Ｗに近い位置に設置し、固定ねじ１２を回転させた場合には、上述の作用によりキャッチ部材６が戸枠Ｗに接近し、図２に示すようにキャッチ部材６が戸枠Ｗに完全に当接した状態でキャッチ部材６が自動的に位置決めされ、固定ねじ１２を螺着することができる。そのため、固定ねじ１２の回転前の状態においてキャッチ部材６を精密に位置決めする必要がない。なお、第１のリブ１ｅと第２のリブ１ｆとの位置関係を逆にし、固定ねじ１２を逆ねじにすることによっても同様の効果を得ることができる。
【００２４】
固定ねじ１２を、図４に示す状態からさらにねじ込んでいくと、固定ねじ１２が第２のリブ１ｆにも接触する。固定ねじ１２が第１のリブ１ｅと第２のリブ１ｆとに接触した状態で、固定ねじ１２を回転させると、固定ねじ１２は第１のリブ１ｅと第２のリブ１ｆとの間に挟まれ、双方にねじ切りをしつつ第１のリブ１ｅと第２のリブ１ｆとの間にねじ込まれていく。この状態では、固定ねじ１２と第１のリブ１ｅとの間の摩擦と固定ねじ１２と第２のリブ１ｆとの間の摩擦とが均衡するため、キャッチ部材６は移動しない。すなわち、キャッチ部材６は、戸枠Ｗや他の障害物に妨げられない場合には、固定ねじ１２が第１のリブ１ｅに接触してから第２のリブ１ｆに接触するまでの間、固定ねじ１２と第１のリブ１ｅとの間の摩擦に従って移動し、固定ねじ１２が第２のリブ１ｆに接触した位置で位置決めされる。
【００２５】
固定ねじ１２をさらにねじ込んでいくと、図６に示すように固定ねじ１２はガイドレール１の上側の内壁に当接し、キャッチ部材６は、ガイドレール１に位置決め固定される。
【００２６】
ガイドローラ２を支持するブラケット３には凸出した被係合部４が備えられ、上記のようにガイドレール１に位置決め固定されるキャッチ部材６には、被係合部４に係合する二股状の係合部５が備えられている。これにより、戸板Ｄは、被係合部４と係合部５との係合が行われると、停止状態を保持される。従って、キャッチ部材６が備えられる位置と向き、及びキャッチ部材６に対応してブラケット３に備えられる被係合部４の向きによって、戸板Ｄを開戸状態又は閉戸状態に保持できる。
【００２７】
図７は、図６におけるＢ−Ｂ線に沿った水平断面図であって、ガイドレール１に取り付けられたキャッチ部材６と戸板Ｄの開戸状態の関係を示している。
キャッチ部材６は、取り付け時の調整移動を利用することにより、係合部５で被係合部４を挟持するときに、適度な係合を実現することができる。
【００２８】
上述したように、キャッチ部材６を固定ねじ１２でガイドレール１に固定する構成であり、キャッチ部材６は、貫通孔６ａに固定ねじ１２を螺合しガイドレール１に固定する際に、固定ねじ１２を回転させると、固定ねじ１２の周面の一部がガイドレール１の一部に接触し摩擦によりガイドレール１に沿って移動する構成であるので、部品点数が少なくキャッチの位置調整を簡単かつ微細に行うことができる。
【００２９】
そして、固定ねじ１２がガイドレール１の内壁に接触する場合よりも他の機構に影響を与えることが少なく設計自由度も増す。またガイドレール１の弾性を調整することで、キャッチ部材６や固定ねじ１２のばらつきに対応できるし、調整時にかかる力が小さくてすむ。
【００３０】
〔その他の実施形態〕
本発明は、上記の実施形態に限定されるものでなく、特許請求の範囲の技術的範囲には、発明の要旨を逸脱しない範囲内で種々、設計変更した形態が含まれる。
【００３１】
図８は、キャッチ部材の変形例を示すものであって、図８（ａ）は、キャッチ部材６Ａをガイドレール１に収容する前段階の状態を示し、図８（ｂ）は、キャッチ部材６Ａをガイドレール１に収容した状態を示す。このキャッチ部材６Ａは、上面に小室１ｇに入り込んでガイドレール１の長手方向に対して直角方向の位置決めが行われる凸部６ｂａが設けられている。このため、キャッチ部材６Ａを上方へ押し付けてガイドレール１に対し垂直な方向について位置決めした状態で、貫通孔６ａへの固定ねじのねじ込みを行うことができ、固定ねじのねじ込みを行いやすい。
【００３２】
図９は、キャッチ部材の他の変形例を示すものであって、図９（ａ）はキャッチ部材６Ｂの斜視図、図９（ｂ）はキャッチ部材６Ｂを異なる方向より見た斜視図、図９（ｃ）はキャッチ部材６Ｂをガイドレール１に収容する前段階の状態を示し、図９（ｄ）は、キャッチ部材６Ｂをガイドレール１への収容途中の状態を示し、図９（ｅ）はキャッチ部材６Ｂをガイドレール１に収容した状態を示す。このキャッチ部材６Ｂは、上面にフック形状の凸部６ｂｂが設けられ、当該凸部６ｂｂがガイドレール１の小室１ｇに入り込んで第２のリブ１ｆを抱え込むことができる。このため、キャッチ部材６Ｂをガイドレール１に仮に吊るしておくことができ、この状態で貫通孔６ａへの固定ねじのねじ込みを行うことができるため、キャッチ部材６Ｂを押さえておく必要がなく、取付がより容易である。
【００３３】
上記実施形態によれば、ガイドローラ２が戸枠Ｗの上縁に設けられたガイドレール１に沿って走行し、ガイドローラを支持するブラケット３が戸板Ｄの上縁に接続され、被係合部４がブラケット３に設けられた、被係合部４に係合する係合部５がキャッチ部材６に備えられている構成であるが、本発明はこの構成に限定されるものではなく、以下のような態様も含んでいる。
（１）ガイドローラ２が戸枠Ｗの下縁に設けられたガイドレール１に沿って走行し、ガイドローラを支持するブラケット３が戸板Ｄの下縁に接続され、被係合部４がブラケット３に設けられた、被係合部４に係合する係合部５がキャッチ部材６に備えられている構成。
（２）ガイドローラ２が戸板Ｄの上縁に設けられたガイドレール１に沿って走行し、ガイドローラを支持するブラケット３が戸枠Ｗの上縁に接続され、被係合部４がブラケット３に設けられた、被係合部４に係合する係合部５がキャッチ部材６に備えられている構成
（３）ガイドローラ２が戸板Ｄの下縁に設けられたガイドレール１に沿って走行し、ガイドローラを支持するブラケット３が戸枠Ｗの下縁に接続され、被係合部４がブラケット３に設けられた、被係合部４に係合する係合部５がキャッチ部材６に備えられている構成。
【符号の説明】
【００３４】
戸枠Ｗ
戸板Ｄ
ガイドレール１
ガイドローラ２
ブラケット３
被係合部４
係合部５
キャッチ部材６
貫通孔６ａ
固定ねじ１２
第１のリブ１ｅ
第２のリブ１ｆ
【図１】
2014125760.tif 000003
【図２】
2014125760.tif 000004
【図３】
2014125760.tif 000005
【図４】
2014125760.tif 000006
【図５】
2014125760.tif 000007
【図６】
2014125760.tif 000008
【図７】
2014125760.tif 000009
【図８】
2014125760.tif 000010
【図９】
2014125760.tif 000011